(57)【要約】【課題】  各遊技台を監視可能な遊技台監視システムを設置スペース、コストの増加を招くことなく構築すること。【解決手段】  遊技店１に設置した遊技台監視システム１０は、各遊技島２の各遊技台３の呼出ランプ６に内蔵した監視カメラ７を有し、各監視カメラ７は隣の遊技島２における対峙している遊技台２の前面部分を監視する。異常が発生した遊技台２を監視している監視カメラ７の映像信号は、マルチプレクサ１１に取り込まれ、デジタル化されフレーム分割により圧縮された後に遠隔制御装置１３に送信され、各録画装置１４に記録されると共に、モニター装置１５に表示される。【選択図】    図３
2005052388.tif 000002
【特許請求の範囲】
【請求項１】
対向配置された少なくとも第１および第２の遊技島を有している遊技店の遊技台監視方法であって、
前記第１の遊技島を構成している第１の遊技台のそれぞれに第１の監視カメラを取り付け、
前記第２の遊技島を構成している第２の遊技台のそれぞれに第２の監視カメラを取り付け、
前記第１の監視カメラにより、前記第１の遊技台に対峙している前記第２の遊技台を監視し、
前記第２の監視カメラにより、前記第２の遊技台に対峙している前記第１の遊技台を監視する遊技店の遊技台監視方法。
【請求項２】
請求項１において、
前記第１および第２の遊技台のそれぞれを、遊技台本体と、前記遊技台本体に隣接配置された遊技媒体の貸し出し処理を行う台間機と、前記遊技台あるいは前記台間機の上方位置に配置された呼出ランプから構成し、
前記第１の監視カメラおよび前記第２の監視カメラを、前記呼出ランプ、前記遊技台本体あるいは前記台間機に取り付ける遊技店の遊技台監視方法。
【請求項３】
請求項２において、
前記第１および第２の遊技台のうち、異常が検出された遊技台を監視している前記第１、第２の監視カメラの撮影画像のみを監視および／または録画する遊技店の遊技台監視方法。
【請求項４】
請求項３において、
前記異常は、前記遊技台本体のドアーが開いたことが検出された場合、異常電波が検出された場合、前記台間機の払い戻し動作の異常が検出された場合、異常な振動が検出された場合、および異常な磁気が検出された場合のいずれかである遊技店の遊技台監視方法。
【請求項５】
請求項３または４において、
複数の前記第１および第２の遊技台において異常が検出された場合には、異常が検出された遊技台を監視している前記監視カメラの映像信号を時分割でサイクリックに取り込み、
取り込まれた複数の前記監視カメラの映像信号を、デジタル化した後にフレーム単位に分割して圧縮して録画し、および／または分割表示する遊技店の遊技台監視方法。
【請求項６】
対向配置されている少なくとも第１および第２の遊技島を有している遊技店の遊技台監視システムであって、
前記第１の遊技島を構成している第１の遊技台のそれぞれに取り付けた第１の監視カメラと、
前記第２の遊技島を構成している第２の遊技台のそれぞれに取り付けた第２の監視カメラとを有し、
前記第１の監視カメラは、前記第１の遊技台に対峙している前記第２の遊技台を監視するためのものであり、前記第２の監視カメラは、前記第２の遊技台に対峙している前記第１の遊技台を監視するためのものである遊技店の遊技台監視システム。
【請求項７】
請求項６において、
前記第１および第２の遊技台のそれぞれは、遊技台本体と、前記遊技台本体に隣接配置された遊技媒体の貸し出し処理を行う台間機と、前記遊技台あるいは前記台間機の上方位置に配置された呼出ランプとを備えており、
前記第１の監視カメラおよび前記第２の監視カメラは、前記呼出ランプ、前記遊技台本体あるいは前記台間機に取り付けられている遊技店の遊技台監視システム。
【請求項８】
請求項７において、
前記第１および第２の遊技台のそれぞれの異常を検出する異常検出手段と、
異常が検出された遊技台を監視している前記第１、第２の監視カメラの映像信号のみを選択的に受信するマルチプレクサと、
前記マルチプレクサを介して供給される映像信号を録画する録画装置と、
前記マルチプレクサを介して供給される映像信号を分割表示する表示装置と、
を有している遊技店の遊技台監視システム。
【請求項９】
請求項８において、
前記異常検出手段は、前記遊技台本体のドアーが開いたこと、異常電波の発生、前記台間機の払い戻し動作の異常発生、異常な振動の発生、および異常な磁気信号の発生のうちの少なくとも一つを検出する遊技店の遊技台監視システム。
【請求項１０】
請求項８または９において、
前記マルチプレクサは、異常が検出された遊技台を監視している前記監視カメラの映像信号を時分割でサイクリックに取り込み、取り込まれた複数の映像信号をデジタル化した後にフレーム単位に分割して圧縮して前記録画装置に送信するようになっている遊技店の遊技台監視システム。
【発明の詳細な説明】
【技術分野】
【０００１】
本発明は、パチンコホールなどの遊技店を監視する監視方法および装置に関し、さらに詳しくは、複数列の遊技島が配置されている遊技店の各遊技台を監視するのに適した遊技店の遊技台監視方法および装置に関するものである。
【背景技術】
【０００２】
パチンコホールなどの遊技店では多数台の監視カメラを設置し、各監視カメラの映像をモニターで監視することにより店内での異常発生や不正行為を監視している。例えば、遊技台が配列された遊技島毎に監視カメラを設置し、異常や不正が発生した遊技島を監視している監視カメラの映像をモニターに表示すると共に録画するようにしている。このような監視システムは例えば下記の特許文献１に開示されている。
【０００３】
ここで、店内の異常発生や不正の監視を強化するためには、監視カメラの台数を増やし、各遊技台の映像を取得できることが望ましい。しかし、遊技店においてはスペースの利用効率が高くなるように多数台の遊技台が設置されているので、多数台の監視カメラを設置する場所を確保することが困難な場合が多い。遊技台の上方の空間を利用して、天井面などから多数台の監視カメラを吊り下げる配置も考えられるが、これでは遊技中の遊技者の視野に多数台の監視カメラが入ってしまうので遊技店の雰囲気としては好ましくない。また、上方から遊技台の状態を捉えた場合には、遊技者の手元側の部分を撮像することが困難であり、不正行為の現場を捉えることが困難である。
【０００４】
また、多数台の監視カメラを設置した場合には、監視カメラの台数に応じて、ＶＴＲやＤＶＲなどの録画装置の台数も増加し、監視カメラと録画装置を結ぶ配線数も増加する。例えば、ＤＶＲの場合には一般に最大８〜１６台の監視カメラからの映像を同時に取り込むことが可能である。しかるに、遊技店における遊技台の設置台数は１００台以上であることが一般的であるので、多数台のＤＶＲを設置する必要があり、また、多数台のモニター装置を設置する必要がある。この結果、設置スペースおよびコストが増加してしまう。
【特許文献１】特開２００２−０５２２３５号公報
【発明の開示】
【発明が解決しようとする課題】
【０００５】
本発明の課題は、遊技店における各遊技台の映像を確実に撮像可能な遊技店の遊技台監視方法およびシステムを提案することにある。
【０００６】
また、本発明の課題は、録画装置やモニター装置の台数の増加、あるいはケーブル本数の増加を招くことなく、多数台の監視カメラを設置して各遊技台を監視可能な遊技店の遊技台監視方法およびシステムを提案することにある。
【課題を解決するための手段】
【０００７】
上記の課題を解決するために、本発明は、対向配置されている少なくとも第１および第２の遊技島を有している遊技店の遊技台監視方法において、
前記第１の遊技島を構成している第１の遊技台のそれぞれに第１の監視カメラを取り付け、
前記第２の遊技島を構成している第２の遊技台のそれぞれに第２の監視カメラを取り付け、
前記第１の監視カメラにより、前記第１の遊技台に対峙している前記第２の遊技台を監視し、
前記第２の監視カメラにより、前記第２の遊技台に対峙している前記第１の遊技台を監視することを特徴としている。
【０００８】
本発明では、対峙している遊技台にそれぞれ監視カメラを取り付け、それぞれの監視カメラにより相手側の遊技台の前面部分を撮像するようにしている。従って、遊技台の前面部分をほぼ同一の高さ位置から撮像することができるので、異常や不正行為などを即座に確認可能なモニター画像を得ることができる。
【０００９】
ここで、遊技島を構成している遊技台は、一般に、遊技台本体と、前記遊技台本体に隣接配置された遊技媒体の貸し出し処理を行う台間機と、前記遊技台あるいは前記台間機の上方位置に配置された呼出ランプからなるユニットを単位として構成されている。従って、監視カメラを、前記呼出ランプ、前記遊技台本体あるいは前記台間機に内蔵すればよい。これらの部分を利用すれば、遊技台の数に対応する台数の監視カメラを遊技者の視野に入らない状態で配置できる。例えば、呼出ランプのランプケース内に監視カメラを内蔵することができる。
【００１０】
次に、各遊技台に対応して設置した監視カメラの映像を全て録画あるいはモニター画面に表示しようとすると、監視カメラの台数に応じて録画装置、モニター装置の設置台数を増やす必要があり、これらの台数が増加すると、それらを接続しているケーブル本数も増加し、設置スペースおよびコストの上昇を招くことになる。かかる弊害を回避するためには、異常が検出された遊技台を監視している監視カメラの撮影画像のみを監視および／または録画することが望ましい。同時に多数台の遊技台に異常が発生し、あるいは不正行為が行われることは少ないので、このようにすれば、録画装置やモニター装置の設置台数を少なくでき、それらを接続するためのケーブル本数も少なくでき、結果として、監視システムの設置スペースおよびコストを低減できる。
【００１１】
ここで、一般的には、前記遊技台本体のドアーが開いたことが検出された場合、異常電波が検出された場合、前記台間機の払い戻し動作の異常が検出された場合、異常な振動が検出された場合、および異常な磁気が検出された場合のいずれかの場合に、該当する遊技台を監視している監視カメラの映像を録画あるいはモニターすればよい。
【００１２】
また、監視カメラから得られる映像信号をＭＰＥＧ方式などの動画信号複合化技術を利用してデジタル化してフレーム分割して圧縮すれば、多数台の監視カメラからの映像信号を実質的にリアルタイムで録画できるので好ましい。
【００１３】
一方、本発明は、対向配置されている少なくとも第１および第２の遊技島を有している遊技店の遊技台監視システムであって、前記第１の遊技島を構成している第１の遊技台のそれぞれに取り付けた第１の監視カメラと、前記第２の遊技島を構成している第２の遊技台のそれぞれに取り付けた第２の監視カメラとを有し、前記第１の監視カメラは、前記第１の遊技台に対峙している前記第２の遊技台を監視するためのものであり、前記第２の監視カメラは、前記第２の遊技台に対峙している前記第１の遊技台を監視するためのものであることを特徴としている。
【００１４】
ここで、前記第１および第２の遊技台のそれぞれが、遊技台本体と、前記遊技台本体に隣接配置された遊技媒体の貸し出し処理を行う台間機と、前記遊技台あるいは前記台間機の上方位置に配置された呼出ランプとを備えている場合には、前記第１の監視カメラおよび前記第２の監視カメラを、前記呼出ランプ、前記遊技台本体あるいは前記台間機に内蔵すればよい。
【００１５】
また、前記第１および第２の遊技台のそれぞれの異常を検出する異常検出手段と、異常が検出された遊技台を監視している前記第１、第２の監視カメラの映像信号のみを選択的に受信するマルチプレクサと、前記マルチプレクサを介して供給される映像信号を録画する録画装置と、前記マルチプレクサを介して供給される映像信号を分割表示する表示装置とを有している構成を採用できる。
【００１６】
さらに、前記異常検出手段としては、前記遊技台本体のドアーが開いたこと、異常電波の発生、前記台間機の払い戻し動作の異常発生、異常な振動の発生、および異常な磁気信号の発生のうちの少なくとも一つを検出するものとすればよい。
【００１７】
ここで、前記マルチプレクサは、異常が検出された遊技台を監視している前記監視カメラの映像信号を時分割でサイクリックに取り込み、取り込まれた複数の映像信号をデジタル化した後にフレーム単位に分割して圧縮し、前記録画装置に送信するように構成することができる。
【発明の効果】
【００１８】
本発明の遊技店の遊技台監視方法およびシステムでは、遊技店において一般に遊技島が平行に配列されている点に着目し、かかる配置を利用して、お互いに対峙している一方の遊技島の遊技台に設置した監視カメラによって、他方の遊技島における対峙している遊技台の前面部分の映像を取得するようにしている。よって、異常や不正行為をモニター画面上において直ちに認識可能な遊技台映像を得ることができる。
【００１９】
また、各監視カメラは、遊技台を構成している遊技台本体、隣接配置されている台間機、あるいは遊技台本体の上側に配置されている呼出ランプに内蔵すれば、遊技者の目に留まることもなく、それらの設置スペースを別途確保する必要もない。
【００２０】
さらに、異常や不正行為が発生した遊技台の映像のみを録画あるいはモニター表示しているので、録画装置やモニター装置の台数が少なくて済む。よって、遊技台に対応した台数の監視カメラを備えた監視システムを、設置スペースやコストの大幅な増加を伴うことなく実現できる。
【００２１】
さらには、監視カメラの映像信号をデジタル化してフレーム分割により圧縮化して録画装置の側に送信するようにしているので、異常が発生した遊技台の映像信号をそのまま録画装置に取り込む場合に比べて、録画装置の設置台数をさらに削減できる。
【発明を実施するための最良の形態】
【００２２】
以下に、図面を参照して、本発明を適用した遊技店の遊技台監視システムの実施の形態を説明する。
【００２３】
図１および図２は本実施の形態に係る遊技台監視システムが設置された遊技店を示す説明図である。これらの図に示すように、遊技店１には、多数列の遊技島２（１）、２（２）・・・が一定の間隔で平行に配列されている。各遊技島２（１）、２（２）・・・は、遊技島を構成している島枠２ａに沿ってパチンコ台などの遊技台３（ｍ，ｎ）（ｍは遊技島の番号を表し、ｎは遊技島内の番号を表す。）が多数配列された構成となっている。各遊技台３（ｍ，ｎ）は、遊技台本体４と、隣接配置された台間機５と、遊技台本体４の上方位置に配置された呼出ランプ６からなるユニットである。台間機５は遊技台本体４に対して遊技媒体の貸し出しを行うためのものであり、呼出ランプ６は遊技台の異常発生時に点滅してその旨を報知するなどの動作を行うためのものであり、従来から一般的に用いられているものである。
【００２４】
本例の遊技台３（ｍ，ｎ）では、その呼出ランプ６（ｍ，ｎ）のランプケース内に監視カメラ７（ｍ，ｎ）が設置されている。各監視カメラ７（ｍ，ｎ）は隣の遊技島における対峙している遊技台の前面を撮像するためのものである。例えば、遊技島２（１）の遊技台３（１，１）の監視カメラ７（１，１）は、隣の遊技島２（２）の遊技台３（２，１）の前面を撮像するためのものであり、この遊技台３（２，１）の監視カメラ７（２，１）は、遊技島２（１）の遊技台３（１，１）の前面を撮像するためのものである。図１においては遊技島２（２）の各遊技台３（２，ｎ）に設置されている各監視カメラ７（２，ｎ）による撮像範囲の一例を一点鎖線で示してある。一般に、撮像範囲が一部重複するように設定される。
【００２５】
図３は本実施の形態に係る遊技台監視システムの概略ブロック図である。遊技台監視システム１０は、各遊技台３（ｍ，ｎ）の呼出ランプ６（ｍ，ｎ）に内蔵した監視カメラ７（ｍ，ｎ）を有しており、各監視カメラ７（ｍ，ｎ）の映像信号（ＮＴＳＣ信号）がマルチプレクサ１１に供給される。また、各遊技台３（ｍ，ｎ）の呼出ランプ６（ｍ，ｎ）の駆動信号が、異常信号６Ｓ（ｍ，ｎ）としてマルチプレクサ１１に供給される。呼出ランプ６（ｍ，ｎ）は、例えば、遊技台３（ｍ，ｎ）のドアーが開いたことを検知するドアーオープンセンサ、異常電波が発生したことを検知するセンサ、台間機５の異常発生を検知するセンサ、異常な振動を検知する振動センサ、異常な磁気信号の発生を検知する磁気センサなどからの検知信号によって点滅駆動される。本例では、呼出ランプ６（ｍ，ｎ）の駆動信号を、各遊技台で不正行為が行われているなどの異常発生検知手段として利用している。
【００２６】
マルチプレクサ１１は、例えば、遊技島毎に設けられており、各監視カメラ７（ｍ，ｎ）の監視対象の遊技台に異常が発生した場合にのみ、当該監視カメラの映像信号７Ｓ（ｍ、ｎ）を取り込む。例えば監視カメラ７（２，１）の監視対象の遊技台３（１，１）の呼出ランプ６（１，１）から異常信号６Ｓ（１，１）を受け取ると、当該監視カメラ７（２，１）の映像信号７Ｓ（２，１）を取り込む。複数台の遊技台３（ｍ，ｎ）に異常が発生した場合には、これらの遊技台３（ｍ，ｎ）を監視している監視カメラ７（ｍ，ｎ）の映像信号をサイクリックに時分割で取り込む。また、取り込まれた映像信号７Ｓ（ｍ、ｎ）を、デジタル化して、ＭＰＥＧ方式などにより、フレーム分割して圧縮する。
【００２７】
例えばＭＰＥＧ方式の場合には、ＮＴＳＣ映像信号が、１秒当たり３０フレームに分割される。従って、１台の遊技台３（ｍ，ｎ）のみが異常の場合には、図４（ａ）に示すように、３０フレーム全てが１台の遊技台３（ｍ，ｎ）の映像信号から得られるものになる。これに対して、複数の遊技台３（ｍ，ｎ）で異常が発生した場合には各映像信号が異常発生台数に応じて圧縮される。例えば、３台の遊技台３（ｍ，ｎ）に異常が発生した場合には、図４（ｂ）に示すように、各映像信号がフレーム分割により１／３に圧縮され、それぞれのフレームがサイクリックに現れるフォーマットのデジタル映像信号が生成される。
【００２８】
再び図３を参照して説明すると、マルチプレクサ１１で生成されたデジタル映像信号は、ＬＡＮなどの通信回線１２を経由して、コンピュータから構成される監視制御装置１３に送られる。監視制御装置１３は、受け取ったデジタル映像信号を、例えば各遊技島に対応して配置されている録画装置（ＤＶＲ）１４に供給して記録させる。録画装置１４は、また、デジタル映像信号を伸長してアナログ変換して、例えば各遊技島に対応して配置されているモニター装置１５の画面上に表示する。複数台の遊技台で異常が発生している場合には、モニター装置１４の画面上に各遊技台の映像を分割表示する。
【００２９】
本実施の形態に係る遊技台監視システム１０では、遊技店において遊技島が平行に配置され、各遊技島を構成している遊技台が隣接配置されている遊技島の各遊技台にほぼ対峙していることに着目し、対峙している一方の遊技台３（ｍ，ｎ）に設置した監視カメラ７（ｍ，ｎ）を用いて、他方の遊技台の前面を撮像するようにしている。したがって、各遊技台に対応する台数の監視カメラを設置して、各遊技台を監視できる。また、遊技台の呼出ランプ６（ｍ，ｎ）に監視カメラ７（ｍ，ｎ）を内蔵することにより、遊技者の目に触れない状態で監視カメラを設置でき、また、その設置場所を確保するために苦慮することもない。
【００３０】
また、異常が発生した遊技台の映像信号のみを取り込むと共に、映像信号をデジタル化してフレーム分割により圧縮しているので、マルチプレクサ１１と監視制御装置１３の配線数を少なくでき、また、録画装置１４およびモニター装置１５の台数も少なくて済む。よって、各遊技台を監視可能な遊技台監視システムの設置スペースおよびコストを低減できる。
【００３１】
なお、本例では、監視カメラを呼出ランプに内蔵しているが、この代わりに、監視カメラを遊技台本体に内蔵してもよい。あるいは、台間機に内蔵してもよい。また、本例では、呼出ランプの駆動信号を異常信号として利用しているが、台間機や遊技台本体から直接に異常信号を受け取るように構成してもよい。さらには、各遊技台とマルチプレクサの間の通信は無線通信により行うことも可能である。
【図面の簡単な説明】
【００３２】
【図１】本発明を適用した遊技店の遊技島を示す説明図である。
【図２】図１の遊技島の側面構成図である。
【図３】本発明の実施の形態に係る遊技台監視システムの概略構成図である。
【図４】図３のシステムにおけるマルチプレクサにより生成されるデジタル映像信号のフォーマットを示す説明図である。
【符号の説明】
【００３３】
１    遊技店
２（ｍ）  遊技島
３（ｍ，ｎ）  遊技台
４    遊技台本体
５    台間機
６（ｍ，ｎ）  呼出ランプ
７（ｍ，ｎ）  監視カメラ
１０  遊技台監視システム
１１  マルチプレクサ
１２  通信回線
１３  監視制御装置
１４  録画装置
１５  モニター装置
【図１】
2005052388.tif 000003
【図２】
2005052388.tif 000004
【図３】
2005052388.tif 000005
【図４】
2005052388.tif 000006